(57)【要約】      （修正有）【課題】撮像素子をレンズユニット側に内蔵したレンズ交換式カメラにおいて、レンズユニットとカメラ本体側との間の電気的接続を、安定的に接続でき、かつ、異物等の混入しない接続構造とする。【解決手段】レンズユニット２０側とカメラ本体１０側との電気的接続にコネクタ差込プラグ３０を用い、レンズユニット２０側のコネクタ２６が回転軌跡を描きながらカメラ本体１０側コネクタ３１に近接して接続するようにした。なお、レンズ非装着時にカメラ本体１０側の開口１２を塞ぐ目隠し部材２４をカメラ本体１０側に備え、レンズ装着時にこの開口を塞ぐ目隠し部材２５をレンズユニット側に設けた。【選択図】図１（ｃ）
2005283605.tif 000002
【特許請求の範囲】
【請求項１】
撮像素子をレンズユニット側に内蔵したレンズ交換式カメラにおいて、レンズユニットをカメラ本体に挿入後回動してカメラ本体側に装着する方式の電気的接続部にコネクタ差込プラグを用いたことを特徴とするレンズ交換式カメラの接続構造。
【請求項２】
レンズユニット側のコネクタが回転軌跡を描きながらカメラ本体側コネクタに近接し、カメラ本体側コネクタは前記レンズユニット側のコネクタの回転軌跡を受けて回動する腕に取付けられ、該腕は、回動ガイドを備えると共に、レンズユニット側コネクタの近接方向に抗して付勢する付勢装置を備えたことを特徴とする請求項１記載のレンズ交換式カメラの接続構造。
【請求項３】
レンズユニット非装着時にカメラ本体側のコネクタ部分の開口を塞ぐ第１の目隠し部材を備え、該第１の目隠し部材は前記開口の内側から開口を塞ぐ位置に向って付勢する付勢手段を備え、レンズユニットをカメラ本体に回動固定した位置で前記開口を塞ぐ第２の目隠し部材をレンズユニット側に設けたことを特徴とする請求項１又は２記載のレンズ交換式カメラの接続構造。
【発明の詳細な説明】
【技術分野】
【０００１】
本発明は、レンズ交換式カメラの接続構造に関し、さらに詳しくは、撮像素子をレンズユニット側に内蔵したレンズ交換式カメラのレンズユニット側とカメラ本体側との電気的接続装置の構造に係るものである。
【背景技術】
【０００２】
従来のレンズ交換式カメラでは、レンズユニットとカメラ本体との電気的な接続にはピンやブラシを使用して接続していた。
【０００３】
また、レンズユニットとカメラ本体間で情報を伝達するために特別なコネクタや接続回路を用いずに行うことができる構造も知られている。
【０００４】
例えば、モード設定手段での撮影情報モードの設定変更を、特別なコネクタ手段や接続回路を用いずにカメラ本体側への伝達する手段として、モード設定機構を有する交換レンズ型、交換ファインダ型、フィルムパトローネ型のモード設定部材を用い、コネクタ手段として、レンズ接点、ファインダ接点、ＤＸ接点を用いるものである（例えば、特許文献１参照。）。
【０００５】
この技術は、カメラ本体の接点部に、着脱可能に組付けられるモード設定手段を備えたものである。この技術では撮像素子をレンズユニット側に内蔵したレンズ交換式カメラのような信号線等の極数の多いカメラに適用することは困難である。
【０００６】
また交換レンズをカメラ本体のマウントに回動して結合するようにしたユニットにおいて、金属片等により短絡が生ずるのを防止するために、カメラ本体の露出している結合端子に段差を設けた技術がある（例えば、特許文献２参照。）。この技術は接続端子の数も多くすることはできず、結合端子をごみ等から保護することについて何ら考慮されていない。
【特許文献１】特開平５−２１０１４２号公報（第２−４頁、図１）
【特許文献２】特公平７−３４０９４号公報（第１−５頁、図１）
【発明の開示】
【発明が解決しようとする課題】
【０００７】
上記従来技術は、接続端子数の少ない従来のレンズ交換式カメラに適用される技術であるが、撮像素子をレンズユニット側に搭載したカメラの場合、カメラ本体側に接続するための信号線の極数が増大し、特開平５−２１０１４２号公報に示されたコネクタを用いない技術では能力が不足し、ブラシやピンでは十分安定した接続を保つことが困難である。
【０００８】
ピン数の多いときの接続手段としてコネクタによる接続が考えられるが、レンズユニットを回動させながら固定する方式の場合、コネクタ接続は、接続時にコネクタがあおられて破壊してしまう懸念がある。
【０００９】
また接続コネクタを通すためにカメラ本体側にコネクタ挿入用の開口を設けると、レンズユニットを回動してカメラ本体に固定する際に、このコネクタ挿入用の開口部から異物が進入する懸念がある。
【００１０】
本発明は上記問題点を解決し、撮像素子をレンズユニット側に内蔵したレンズ交換式カメラにおいて、レンズユニットとカメラ本体側との間の電気的接続を、安定的に接続することができ、かつ、異物等の進入に対して問題を生ずることがないような接続構造を提供することを目的とするものである。
【課題を解決するための手段】
【００１１】
本発明は、上記問題点を解決するためになされたもので、次の技術手段を講じたことを特徴とするレンズ交換式カメラの接続構造である。すなわち、本発明は、撮像素子をレンズユニット側に内蔵したレンズ交換式カメラにおいて、レンズユニットをカメラ本体に挿入後回動してカメラ本体側に装着する方式の電気的接続部にコネクタ差込プラグを用いたことを特徴とするレンズ交換式カメラの接続構造である。
【００１２】
コネクタ差込プラグはボードツーボードコネクタであって、多数のピンとこれを挿入するピン孔とからなるコネクタである。このようなコネクタを用いると、接続極数が多い場合でも確実に安定した接続を実現することができる。
【００１３】
また、上記レンズ交換式カメラの接続構造において、レンズユニット側のコネクタが回転軌跡を描きながらカメラ本体側コネクタは該レンズユニット側のコネクタの回動軌跡を受けるように回動する腕に取付られ、該腕は、回動ガイドを備えると共に、レンズユニット側コネクタの近接方向に抗して付勢する付勢装置を備えると、コネクタの接続をレンズユニットを回動させて確実に接続させることができる。また、回転軌跡で接続するのでコネクタに損傷を与えることなく安定的に接続することができるので好ましい。
【００１４】
上記レンズ交換式カメラの接続構造において、レンズユニット非装着時に、カメラ本体側のコネクタ部分の開口を塞ぐ第１の目隠し部材を備え、第１の目隠し部材は前記開口の内側から開口を塞ぐ位置に付勢する付勢手段を備え、レンズを回動固定した位置で前記開口を塞ぐ第２目隠し部材をレンズ側に備えると、レンズユニット装着後も、接続用のコネクタが挿入されるときに通る前記開口を目隠しすることができ、好ましい。
【００１５】
本発明の電気的接続部コネクタはレンズユニットの外周から半径方向に突出している。従って、カメラ本体にはこのレンズユニット側のコネクタを通過させてレンズユニットを装着するための開口が必要である。本発明ではレンズユニット非装着時も、装着後も、この開口を効率的に塞ぐことができる構造としたものである。
【発明の効果】
【００１６】
本発明によれば、撮像素子をレンズユニット側に内蔵したレンズ交換式カメラにおいて、レンズユニットとカメラ本体側との間の電気的接続を、安定的に接続することができ、かつ、異物等の進入に対して問題を生ずることがないような接続構造となる。
【発明を実施するための最良の形態】
【００１７】
以下図面を参照して本発明の実施の形態を説明する。
【００１８】
先ず本発明が対象とする、対象素子をレンズユニット側に内蔵したレンズ交換式カメラの構成について図４を参照して説明する。図４はこのような構成の一例を示すブロック図である。
【００１９】
図４に示すように、カメラ本体１０はＡ／Ｄコンバータ１０１、信号処理回路１０２、ＬＣＤ表示部１０３、中央処理装置（ＭＰＵ）１０４、ダイナミックランダムアクセスメモリ（ＤＲＡＭ）１０５、電気的書込・書替可能不揮発ロム（ＥＥＰＲＯＭ）１０６、読出専用メモリ（ＲＯＭ）１０７、Ｄ／Ａコンバータを有する電子ボリウム（ＥＶＲ）１０８及びＣＣＤ駆動用のタイミングジェネレータ（ＴＧ）１０９を含んでいる。このほか図示しない電源部、レリーズスイッチ、モードスイッチその他の操作キー等を備えている。図４は一例であって、上記の機能要素の一部をレンズユニット２０に内蔵するようにしてもよい。
【００２０】
レンズユニット２０は、自動焦点調整装置（ＡＦ）１２１、ズーム機構１２２を備え、これらにはそれぞれ駆動モータが付属している。また、制御回路１２４、駆動部１２３を備え、さらにシャッタ装置１２５、絞り装置１２６、撮像素子１２７を含んでいる。Ａ／Ｄコンバータや画像処理装置を含むこともある。
【００２１】
このようなカメラ本体１０とレンズユニット２０は電気的接続部１３０によって接続される。
【００２２】
レンズユニット２０の撮像素子１２７からの信号はＡ／Ｄコンバータ１０１を経て信号処理回路１０２に入力される。信号処理回路１０２の出力は、ＬＣＤ表示部１０３に表示されると共に、中央処理装置（ＭＰＵ）１０４に入力され、ＤＲＡＭ１０５、ＥＥＰＲＯＭ１０６、ＲＯＭ１０７等に格納される。
【００２３】
ＥＥＰＲＯＭ１０６は一度書き込まれたデータを電源が切られても保持するという特性をもっている。したがって、中央処理装置（ＭＰＵ）１０４のデータは、一旦ＥＥＰＲＯＭ１０６に書き込んでおけば、たとえ電源が切られてもそのデータは失われることはない。そして、再度電源が印加されたときに、ＭＰＵ１０４はＥＥＰＲＯＭ１０６からデータを読み込む。
【００２４】
ＥＥＰＲＯＭ１０６はレンズユニットの調整値その他撮影部の制御や画像信号の処理に必要なデータを保存している。ＲＯＭ１０７には撮像素子１２７の駆動用タイミングジェネレータ（ＴＧ）１０９などの制御プログラムが格納されている。カメラ作動時にはＭＰＵ１０４がＥＥＰＲＯＭ１０６からレンズユニットの調整に必要なデータを読み出し、またＲＯＭ１０７から制御プログラムを読み出しこれらをＤＲＡＭ１０５に格納する。
【００２５】
本発明は図４に例示したような構成をもつカメラ本体１０とレンズユニット２０との接続構造に関するものである。
【００２６】
図１に本発明の実施例のレンズ交換式カメラの接続構造を示した。
【００２７】
図１（ａ）は実施例のカメラの正面図で、図１（ｂ）に示すレンズユニット２０を装着する装着部１１を備えている。装着部１１には図１（ｂ）に示すレンズユニット側のコネクタ２４が通る切欠１２が設けられ、この切欠１２はレンズユニットに非装着のとき第１の目隠し部材１６（図３（ａ）参照）によって目隠しされている。なお、カメラ本体１０側コネクタ３０は隠れた位置に設けられている。カメラ本体１０にはファインダ１４、閃光装置１５等が装着されている。
【００２８】
図１（ｂ）はレンズユニット２０の正面図で、レンズ枠２２、レンズ２１を備え、レンズ側マウントの爪２３、及びレンズ側コネクタ２６を備えている。また、レンズユニット２０をカメラ本体１０に挿入し回動させて係着させたとき、カメラ本体１０の切欠１２を塞ぐ第２の目隠し部材２５を付属している。
【００２９】
図１（ｃ）は、レンズユニット２０側のコネクタ２６とカメラ本体１０側のコネクタ３１との関係を示す作動説明図である。レンズユニット２０をカメラ本体１０のレンズ装着部１１（穴）に差込み、矢印２７で示すように回動させると、レンズユニット側コネクタ２６は、カメラ本体側コネクタ３１と係合する。このとき、カメラ本体側コネクタ３１は、レンズユニット２０側のコネクタ２６を受け入れると共に矢印３２で示すように回動し、コネクタの接続を円滑にさせる。
【００３０】
図２はカメラ本体側のコネクタ装置３０の回動動作の詳細を示す作用説明図である。カメラ側コネクタ３１は回動腕３３に取付けられている。回動腕３３は回動自在にピン３４に結合されており、回動ガイド４０の案内溝４１に案内ピン３５を係合させている。また回動腕３３は付勢部材３６を備えており、この付勢部材３６は矢印３７で示すようにコネクタ３１のレンズ側コネクタ２６を受入れる方向に抗する方向に付勢されている。また、ストッパ３８を備えて、正規位置において、腕３３の回動を停止させるようになっている。
【００３１】
図３（ａ）はカメラ本体１０にレンズユニット２０を挿入する直前の状態を示している。カメラ本体１０側に設けられている第１の目隠し部材１６はレンズ押込み方向に対抗する方向にばね１７によって付勢されている。この状態からレンズユニット２０をさらにカメラ本体１０側に挿入すると、レンズユニット２０側のコネクタ２６が目隠し部材１６を押し込んでカメラ本体内に進入する。
【００３２】
次いで、図３（ｂ）に示すように、レンズユニット２０を矢印２８で示す方向に回動させる。このとき、第２の目隠し部材２５が丁度第１の目隠し部材１６の位置に合致するように移動して来て、切欠１２の正面を閉止する。
【図面の簡単な説明】
【００３３】
【図１（ａ）】実施例のカメラの正面図である。
【図１（ｂ）】実施例のレンズユニットの正面図である。
【図１（ｃ）】実施例のレンズユニットの作動説明図である。
【図２】カメラ側コネクタの構造、作用説明図である。
【図３（ａ）】他の実施例の側断面図である。
【図３（ｂ）】他の実施例の正面図である。
【図４】本発明のカメラの構成を示すブロック図である。
【符号の説明】
【００３４】
１０、３０    カメラ本体
１１    装着部
１２    切欠
１４    ファインダ
１５    閃光装置
１６、２５    目隠し部材
１７    ばね
２０    レンズユニット
２１    レンズ
２２    レンズ枠
２３    レンズ側のマウントの爪
２６    コネクタ
２７、２８、３７    矢印
３０    コネクタ装置
３１    コネクタ
３３    回動腕
３４    ピン
３５    案内ピン
３６    付勢部材
３８    ストッパ
４０    回動ガイド
４１    案内溝
１０１    Ａ／Ｄコンバータ
１０２    信号処理回路
１０３    ＬＣＤ表示部
１０４    中央処理装置（ＭＰＵ）
１０５    ダイナミックランダムアクセスメモリ（ＤＲＡＭ）
１０６    電気的書込・書替可能不揮発ロム（ＥＥＰＲＯＭ）
１０７    読出専用メモリ（ＲＯＭ）
１０８    電子ボリウム（ＥＶＲ）
１０９    タイミングジェネレータ（ＴＧ）
１２１    自動焦点調整装置（ＡＦ）
１２２    ズーム
１２３    制御回路
１２４    駆動部
１２５    シャッタ装置
１２６    絞り装置
１２７    撮像素子
【図１（ａ）】
2005283605.tif 000003
【図１（ｂ）】
2005283605.tif 000004
【図１（ｃ）】
2005283605.tif 000005
【図２】
2005283605.tif 000006
【図３（ａ）】
2005283605.tif 000007
【図３（ｂ）】
2005283605.tif 000008
【図４】
2005283605.tif 000009